(57)【要約】【課題】  電柱間で支持線により支持する光ケーブルから分岐して引き込む引込み線用ケーブルを支持する引き込み支持線の引き留め用のＴ分岐金具を上記支持線に取り付けたり、取り外したりする際に、作業員が地上から操作して、容易かつ確実に作業できる地上取り付けＴ分岐金具を提供する。【解決手段】  四辺形の枠体１の、一対の相対向する両側片の一端部の下端縁に係止切り欠き４、４を設け、これらの各係止切り欠き４を有する両側片の他端部間に支持軸８を渡し、この支持軸８にレバー９を上下方向に回転自在に軸支し、このレバー９の一端の、上記両側片の係止切り欠き４に相応する位置の下端縁に係止切り欠き１０を設け、当該レバー９の他端は、上記枠体１の切り欠き部２を通って枠体１の外側に突出自在な長さを有しかつ枠体１の外側の他端にフック部１１を設けた。【選択図】  図１
2006115645.tif 000002
【特許請求の範囲】
【請求項１】
電柱間の支持線に取り付けて、電柱間で引き込む引込み線用ケーブルを支持する引き込み支持線の引き留め用のＴ分岐金具において、略四辺形の枠体の、一対の相対向する両側片の一端部の下端縁に係止切り欠きを設け、これらの各係止切り欠きを有する両側片の他端部間に支持軸を渡し、この支持軸にレバーを上下方向に回転自在に軸支し、このレバーの一端の、上記両側片の係止切り欠きに相応する位置の下端縁に係止切り欠きを設け、当該レバーの他端は、上記枠体の切り欠き部を通って枠体の外側に突出自在な長さを有しかつ枠体の外側の他端にフック部を有することを特徴とする、地上取り付けＴ分岐金具。
【請求項２】
上記切り欠き部を有する枠体の側片と反対の側片の外側面から、側面に貫通孔を有する突片を設けたことを特徴とする、請求項１に記載の地上取り付けＴ分岐金具。
【請求項３】
上記枠体の一対の両側片に設けた係止切り欠きは、下端の開口部から各側片の一端方向に略鍵型に曲がっており、上記レバーの係止切り欠きは下端の開口部から上方に真直ぐ伸びた形状であることを特徴とする、請求項１又は２に記載の地上取り付けＴ分岐金具。
【請求項４】
上記レバーが枠体に対して直角な位置にあっても、枠体の上記切り欠き部からレバーの側縁が外側に突出している幅を有することを特徴とする、請求項１、２又は３のいずれかに記載の地上取り付けＴ分岐金具。
【請求項５】
上記枠体の切り欠き部を有する側片の下端縁を延長して、外方に折り曲げた折り曲げ片を設け、この折り曲げ片の下面を着色したことを特徴とする、請求項１、２、３又は４のいずれかに記載の地上取り付けＴ分岐金具。
【発明の詳細な説明】
【技術分野】
【０００１】
この発明は、電柱間に渡した支持線に光ケーブル等から成る幹線ケーブルをスパイラルハンガーを介して吊るした当該幹線ケーブルから各家庭等に引込み線用ケーブルを引き込む場合において、当該支持線に係止し、引込み線用ケーブルを支持する支持線の引き留め用の柱間Ｔ分岐金具に関するもので、特に、地上からの操作で、上記支持線に容易にかつ確実に係止できる柱間Ｔ分岐金具に関するものである。
【背景技術】
【０００２】
従来、図８に示すように、光ケーブル等から成る幹線ケーブル５１を、電柱５２間に渡した支持線５３とともにスパイラルハンガー５４を巻きつけてこれらを束ね、当該支持線５３に吊るしている。そして、これらの幹線ケーブル５１から分岐して、各家庭等に引込み線用ケーブル５５を引き込む場合、電柱５２間に位置した最寄のクロージャー５６から引込み線用ケーブル５５を導出し、引き込む箇所の支持線５３に係止した引込み留め金具５７に、引き留具５８を介して引き込み支持線５９を引き留め、この引き込み支持線５９に引込み線用ケーブル５５を支持させて引き込んでいる。
【０００３】
この引込み留め金具５７は図９に示すように、断面鍵型の本体５７aの一側面に孔を設け、この一側面に当接自在な当接板５7ｂを設け、この当接板５7ｂにも上記本体５7ａの孔に相応する位置に孔を設け、これらの孔に先端にフック５７ｃを有するボルト５７ｄを通し、上記本体５７ａの孔の外面に位置するボルト５７ｄの外周に鍔を設け、上記当接板５７ｂの外面に位置するボルト５７ｄの外周にはナット５７ｅを螺着し、上記フック５７ｃの先端は本体５７ａの他側面に穿った大径孔５７ｆ内に突出させ、上記本体５７ａの下端に凹溝５７ｇを設けて、折曲縁を設けたものである。そして、この留め金具５７は、上記本体５７ａの凹溝５７ｇに支持線５３を入れて、当該本体５７ａの一側面に当接板５７ｂを当ててボルト５７ｄのナット５７ｅを締め付けて支持線５３に取り付けている。
【０００４】
そして、この引込み線留め金具５７を上記支持線５３に取り付けたり、又はこの支持線５３から取り外すには、高所作業車が使用できない場所では、作業員が梯子を用意し、この梯子の下端を地面に当て、その上端を上記支持線に掛け、作業員が当該梯子を上っていき、上述のように、支持線５３を当該留め金具５７で挟みつけてボルト５７ｄ及びナット５７ｅを締め付けて当該引込み線留め金具５７を支持線５３に取り付けている。
【発明の開示】
【発明が解決しようとする課題】
【０００５】
しかしながらこの従来の引込み線留め金具では、上述のように、支持線５３を本体５７ａの一側面の凹溝５７ｇに入れて、当接板５７ｂと本体５７ａの一側面に支持線５３を挟み付け、さらにボルト５７ｄに螺着したナット５７ｅを締め付けなければならず、手間のかかるものであった。また、支持線５３は３０〜４０メートルぐらいの距離の電柱５２、５２間に支持されているため、風やその他の要因で揺れやすく、この支持線５３にその上端を掛けた梯子の上での作業となり、不安定な状態での取り付け又は取り外し作業となっていた。特に、上記引込み線留め金具を支持線から外す場合、引込み線を当該留め金具から外すと、荷重の変化により梯子が大きく揺れて、梯子から作業員が落ちてしまう等の危険があった。また、このような従来の方法では梯子や高所作業車（搬入可能な場合）を用意する時間や手間がかかるものであった。
【０００６】
この発明はこれらの点に鑑みて為されたもので、これらの架空線である支持線に引込み線留め金具の一種であるＴ分岐金具を取り付けたり、取り外したりする際に、作業員が地上から操作して、容易かつ確実に作業できるＴ分岐金具を提供することにより上記課題を解決しようとするものである。  
【課題を解決するための手段】
【０００７】
そこで、請求項１の発明は、電柱間の支持線に取り付けて、電柱間で引き込む引込み線用ケーブルを支持する引き込み支持線の引き留め用のＴ分岐金具において、略四辺形の枠体の、一対の相対向する両側片の一端部の下端縁に係止切り欠きを設け、これらの各係止切り欠きを有する両側片の他端部間に支持軸を渡し、この支持軸にレバーを上下方向に回転自在に軸支し、このレバーの一端の、上記両側片の係止切り欠きに相応する位置の下端縁に係止切り欠きを設け、当該レバーの他端は、上記枠体の切り欠き部を通って枠体の外側に突出自在な長さを有しかつ枠体の外側の他端にフック部を有する、地上取り付けＴ分岐金具とした。
このＴ分岐金具は、地上において作業員が伸縮式の操作棒の先端に係止して、この操作棒を伸ばして、電柱間に張り渡した支持線箇所にＴ分岐金具を持っていき、当該Ｔ分岐金具の枠体の一対の両側片に設けた係止切り欠きを支持線に引っ掛け、当該Ｔ分岐金具を操作棒の先端から外し、レバーの他端のフック部に一端を係止した支持線等を引っ張ると、枠体の一端が支持線に係止され、この枠体に当該レバーが軸支されているため、当該レバーは枠体と同じ方向になるように回転し、支持線をレバーの係止切り欠きに係止する。これにより、当該Ｔ分岐金具は支持線を枠体の両側片の係止切り欠き及びレバーの係止切り欠きの三箇所で係止することとなり、当該支持線に固定される。
【０００８】
また、請求項２の発明は、上記請求項１の発明において、上記切り欠き部を有する枠体の側片と反対の側片の外側面から、側面に貫通孔を有する突片を設けた、地上取り付けＴ分岐金具とした。請求項３の発明は、上記請求項１又は２の発明において、枠体の一対の両側片に設けた係止切り欠きは、下端の開口部から各側片の一端方向に略鍵型に曲がっており、上記レバーの係止切り欠きは下端の開口部から上方に真直ぐ伸びた形状である、地上取り付けＴ分岐金具とした。
【０００９】
また、請求項４の発明は、上記請求項１、２又は３のいずれか記載の発明において、上記レバーが枠体に対して直角な位置にあっても、枠体の上記切り欠き部からレバーの側縁が外側に突出している幅を有する、地上取り付けＴ分岐金具とした。また、請求項５の発明は、上記請求項１、２、３又は４のいずれか記載の発明において、上記枠体の切り欠き部を有する側片の下端縁を延長して、外方に折り曲げた折り曲げ片を設け、この折り曲げ片の下面を着色した、地上取り付けＴ分岐金具とした。
【発明の効果】
【００１０】
請求項１の発明によれば、このＴ分岐金具を地上から作業員が伸縮式の操作棒の先端部に係止して支持線に当該Ｔ分岐金具を近づけ、当該操作棒を用いてＴ分岐金具を支持線に容易に係止でき、さらに、当該Ｔ分岐金具のレバーを支持線等で地上から引っ張ることにより、当該Ｔ分岐金具を支持線に固定できる。従って、従来のように支持線に梯子を掛けて、不安定な梯子の上でのＴ分岐金具の取り付け、又は取り外しが不要となり、これらの作業を地上で行うことができる。
【００１１】
また、請求項２の発明によれば、当該突片の貫通孔に適宜のロープやワイヤーを係止することができ、当該Ｔ分岐金具の取り付けにおいて、伸縮式の操作棒がなくても、当該Ｔ分岐金具にロープの一端を係止して、当該ロープを投げて支持線に引っ掛けて当該ロープを手繰り寄せ、Ｔ分岐金具を支持線に引っ掛けることができる。また、請求項３の発明は、枠体の一対の両側片に設けた係止切り欠きは、下端の開口部から各側片の一端方向に略鍵型に曲がっており、上記レバーの係止切り欠きは下端の開口部から上方に真直ぐ伸びた形状であるため、これらの係止切り欠きの奥部に支持線を係止すると、各係止切り欠きの切り欠き方向が交互に異なるため、支持線をしっかり係止し、当該Ｔ分岐金具は支持線の長手方向にも固定され、移動しない。
【００１２】
また、請求項４の発明によれば、上記レバーが枠体に対して直角な位置にあっても、枠体の上記切り欠き部からレバーの側縁が外側に突出している幅を有するため、枠体に設けた切り欠き部に常にレバーが入っているため、枠体が変形して当該切り欠き部がつぶれることがなく、当該Ｔ分岐金具の信頼性が高いものである。また、請求項５の発明によれば、上記枠体の切り欠き部を有する側片の下端縁を延長して、外方に折り曲げた折り曲げ片を設け、この折り曲げ片の下面を着色しているため、当該Ｔ分岐金具を支持線から取り外す際、地上から着色部が目印となり操作棒で当該Ｔ分岐金具を係止し易いなどの利点を有する。
【発明を実施するための最良の形態】
【００１３】
電柱間の支持線に取り付けて、電柱間で引き込む引込み線用ケーブルを支持する支持線の引き留め用のＴ分岐金具において、略四辺形の枠体の、一対の相対向する両側片の一端部の下端縁に係止切り欠きを設け、これらの各係止切り欠きを有する両側片の他端部間に支持軸を渡し、この支持軸にレバーを上下方向に回転自在に軸支し、このレバーの一端の、上記両側片の係止切り欠きに相応する位置の下端縁に係止切り欠きを設け、当該レバーの他端は、上記枠体の切り欠き部を通って枠体の外側に突出自在な長さを有しかつ枠体の外側の他端にフック部を有し、上記切り欠き部を有する枠体の側片と反対の側片の外側面から、側面に貫通孔を有する突片を設け、上記枠体の一対の両側片に設けた係止切り欠きは、下端の開口部から各側片の一端方向に略鍵型に曲がっており、上記レバーの係止切り欠きは下端の開口部から上方に真直ぐ伸びた形状であり、上記レバーは、当該レバーが枠体に対して直角な位置にあっても、枠体の上記切り欠き部からレバーの側縁が外側に突出している幅を有し、上記枠体の切り欠き部を有する側片の下端縁を延長して、外方に折り曲げた折り曲げ片を設け、この折り曲げ片の下面を着色した、地上取り付けＴ分岐金具とした。
【実施例１】
【００１４】
以下この発明を図面に基いて詳細に説明する。
図１はこのＴ分岐金具の正面図、図２は同平面図、図３は同側面図、図４はこのＴ分岐金具のレバーを枠体に対して直角に回転させた状態の正面図である。平面が四辺形の枠体１を設けるが、この枠体１は、二つの細幅の帯状板体１a、１aを折り曲げて成る。すなわち、これらの二つの帯状板体１a、１aの一方の突合せ端を枠体１の一側中央に位置させて、相互に間隔をあけ、切り欠き部２を設け、また他方の突合せ端を、上記切り欠き部２を有する一側と相対向する他側の中央で突合わせてこれらを外側に折り曲げて相互に重ねて伸ばして突片３を形成する。この突片３の側面には貫通孔３aを有している。また、この枠体１の上記切り欠き部２や突片３を有しない、一対の相対する両側片の一端部の下端縁に、先端が各側片の一端に向いた略鍵型の係止切り欠き４、４を設けている。
【００１５】
これらの係止切り欠き４、４を有する両側片の他端部間にボルト軸５を渡し、当該ボルト軸５の、一側片から突出した端部にナット６を螺着し、両側片間のボルト軸５の外周にカラー７を被冠して、上記ナット６を締め付けて支持軸８を設けている。この支持軸８のカラー７の中央部に、自体の中央孔をはめたレバー９を上下方向に回転自在に軸支している。当該レバー９の一端の、上記両側片の各係止切り欠き４に相応する位置の下端縁に、開口部が広がり、まっすぐ上方に伸びた係止切り欠き１0を設けている。また、このレバー９の他端は、上記枠体１の切り欠き部２を通り、枠体１の外方に伸び、当該箇所で側面にやや曲がったフック部１１を形成している。また、上記枠体１の切り欠き部２の両側の側片の下端を延長して外方に折り曲げ、それぞれ折り曲げ片１２を設け、これらの各折り曲げ片１２、１２の下面を着色している。
【００１６】
このＴ分岐金具Ａは、地上において作業員が伸縮式の操作棒１５の先端に係止する。これは例えば、図５に示すように、この操作棒１５の先端部１５ａを枠体１の側片と支持軸８との間に挿入して係止し、この操作棒１５を伸ばして、電柱間に張り渡した支持線１６箇所にＴ分岐金具Ａを持っていき、当該Ｔ分岐金具Ａの枠体１の一対の両側片に設けた係止切り欠き４を支持線１６に引っ掛け、当該Ｔ分岐金具Ａを操作棒１５の先端から外し、図６に示すように、レバー９の他端のフック部１１に一端を係止した引き込み支持線１７等を引っ張ると、枠体１の一端の係止切り欠き４の奥部に支持線１６が入り、Ｔ分岐金具Ａが支持線１６に係止され、この枠体１に当該レバー９が軸支されているため、当該レバー９は枠体１と同じ方向になるように回転し、支持線１６をレバー９の係止切り欠き１０に係止する。これにより、当該Ｔ分岐金具Ａは支持線１６を枠体１の両側片の係止切り欠き４、４及びレバー９の係止切り欠き１０の三箇所で係止することとなり、当該Ｔ分岐金具Ａは支持線１６に固定される。
【００１７】
また、このＴ分岐金具Ａは、図７に示すように、下部に伸縮式の棒１８ａを有する、架空線の上越し工具１８の先端部のサドル１８ｂに係止して、支持線１６に取り付けることもでき、さらに、このＴ分岐金具Ａの突片３の貫通孔３ａにロープの一端を固定し、また、レバー９のフック部１２に支持線等の一端を取り付けて、上記ロープを作業員が地上から支持線に投げて、ロープを支持線に掛け、当該ロープを地上から手繰り寄せて、Ｔ分岐金具Ａを支持線に取り付けることもできる。
【００１８】
なお、上記実施例では、枠体１の一側片から突片３を設けたが、この突片３はこの発明の必須要件ではない。また、上記実施例では、レバーの幅や、折り曲げ片を規定しているが、これらもこの発明の必須要件ではない。また、枠体の係止切り欠き、レバーの係止切り欠きはそれぞれ上記実施例の形状に限らず、適宜の形状でよい。
【図面の簡単な説明】
【００１９】
【図１】この発明の実施例のＴ分岐金具の正面図である。
【図２】この発明の実施例のＴ分岐金具の平面図である。
【図３】この発明の実施例のＴ分岐金具の側面図である。
【図４】この発明の実施例のＴ分岐金具のレバーを枠体に対して直角に回動させた状態を示す、正面図である。
【図５】この発明の実施例のＴ分岐金具を操作棒の先端部に係止して、当該Ｔ分岐金具を支持線に引っ掛けた状態を示す正面図である。
【図６】この発明の実施例のＴ分岐金具を支持線に引っ掛けて、レバーに係止した支持線を下から引っ張った状態を示す正面図である。
【図７】この発明の実施例のＴ分岐金具を架空線の上越し工具の先端部のサドルに係止した状態を示す正面図である。
【図８】従来の引込み線用ケーブル用電柱間引込み線留め金具を使用する箇所を示す説明平面図である。
【図９】従来の引込み線用ケーブル用電柱間引込み線留め金具の使用状態を示す斜視図である。
【符号の説明】
【００２０】
Ａ    Ｔ分岐金具
１    枠体
２    切り欠き部
３    突片  
４    係止切り欠き
５    ボルト軸
６    ナット
７    カラー
８    支持軸
９    レバー
１０    係止切り欠き
１１    フック部
１２    折り曲げ片
１５    操作棒
１６    支持線
１７    引き込み支持線
１８    架空線の上越し工具
【図１】
2006115645.tif 000003
【図２】
2006115645.tif 000004
【図３】
2006115645.tif 000005
【図４】
2006115645.tif 000006
【図５】
2006115645.tif 000007
【図６】
2006115645.tif 000008
【図７】
2006115645.tif 000009
【図８】
2006115645.tif 000010
【図９】
2006115645.tif 000011